(57)【要約】【課題】少数の土台と束が存在し、この束上端を曲げや衝撃強度が強く且つ回動自在に形成したデッキ本体を設けて、簡単に跳ね上げ可能なデッキを提供するものである。【解決手段】地面１にコンクリートや石等の土台２を配設し、この土台２の上に少数の柱状の束３を立設し、この束３の上端にＩ型鋼の上下面に木質材７、７をボルトナット等で固着した型材６を形成し、この型材６の木質材７の上面に木質材、合成樹脂板、ステンレス板等でできた床材８を釘、ビス、ボルトナット、接着剤等で固着したデッキ本体９を設け、このデッキ本体９の一側端を上方に回動自在として成るものである。【選択図】        図１
2004225462.tif 000002
【特許請求の範囲】
【請求項１】
土台上に少数の束を立設し、該束の上端に型材の上面に床材を固着したデッキ本体を設け、該デッキ本体の一側端を上方に回動自在として成るデッキ。
【請求項２】
上記デッキ本体のＩ型鋼の上下面に固着された木質材の下面の木質材の側端面と束の一側端面とを蝶番を介して固着して回動自在とすることを特徴とする請求項１記載のデッキ。
【請求項３】
上記土台上に配設される束を矩形状のデッキ本体の四隅に配設することを特徴とする請求項１又は請求項２記載のデッキ。
【請求項４】
上記デッキ本体の途中を上方に屈曲するようにＩ型鋼の下面の木質材の側端面と束の一側端面とを蝶番を介して固着して屈曲自在とすることを特徴とする請求項１乃至請求項３記載のいずれか１項に記載のデッキ。
【請求項５】
上記屈曲タイプのデッキ本体の両側端の下面側にレール状のデッキ受け部材を設けたことを特徴とする請求項４記載のデッキ。
【発明の詳細な説明】
【０００１】
【発明の属する技術分野】
本発明は、住宅に隣接した位置の外側に設けられオープンタイプの回動自在のデッキに関するものである。
【０００２】
【従来の技術】
従来、図１１及び図１２のように、コンクリート、芝生等の地面上に複数個の土台を載置し、この土台上に束を高さを揃えて立設して、この束の上端に四角形状の木質等の枠材を形成し、この枠材上に床板を固着したデッキ本体を固着してデッキを構成したものが汎用されている。
【０００３】
また、排水溝用フロアー材では、バルコニー等に設置される排水溝用フロアー材は、バルコニー等の床に設置する床載置部と排水溝を覆い、裏面に支持部を設けた排水溝載置部とからなり、排水溝載置部と床載置部との上面がほぼ面一になるように蝶番で回動自在に連結するものがある。（例えば、特許文献１参照）
【０００４】
【特許文献１】
特開２０００−１４４８８６号公報（第１−３頁、図１〜図４）
【０００５】
このように、特許文献１のものでは、バルコニー等の小面積の排水溝載置部と床載置部との上面がほぼ面一になるように蝶番で回動自在に連結するものであって、土台と束の存在するものではなく大面積のデッキを構成しようとしても大荷重に耐えられないものである。
【０００６】
【発明が解決しようとする課題】
本発明は上記問題点の解決を目的とするものであり、少数の土台と束が存在し、この束上端を曲げや衝撃強度が強く且つ回動自在に形成したデッキ本体を設けて、簡単に跳ね上げ可能なデッキを提供するものである。
【０００７】
【課題を解決するための手段】
本発明の請求項１記載のデッキは、土台上に少数の束を立設し、該束の上端に型材の上面に床材を固着したデッキ本体を設け、該デッキ本体の一側端を上方に回動自在として成るものである。
【０００８】
したがって、土台や束の本数が少なく、強度の強いデッキ本体が簡単に跳ね上げ可能となる。
【０００９】
本発明の請求項２記載のデッキは、請求項１記載のデッキ本体のＩ型鋼の上下面に固着された木質材の下面の木質材の側端面と束の一側端面とを蝶番を介して固着して回動自在とすることを特徴とするものである。
【００１０】
したがって、Ｉ型鋼により曲げ強度や衝撃強度が強く、蝶番の取付けも木質材に固定するので釘打ち可能となり簡単である。
【００１１】
本発明の請求項３記載のデッキは、請求項１又は請求項２記載の土台上に配設される束を矩形状のデッキ本体の四隅に配設することを特徴とするものである。
したがって、土台上に配設される束が少なくて済み、部品点数が少ないものである。
【００１２】
本発明の請求項４記載のデッキは、請求項１乃至請求項３のいずれか１項に記載されたデッキ本体の途中を上方に屈曲するようにＩ型鋼の下面の木質材の側端面と束の一側端面とを蝶番を介して固着して屈曲自在とすることを特徴とするものである。
【００１３】
したがって、デッキ本体の途中を上方に屈曲することができるので、デッキ本体が大型化しても簡単に跳ね上げ可能である。
【００１４】
本発明の請求項５記載のデッキは、請求項４記載の屈曲タイプのデッキ本体の両側端の下面側にレール状のデッキ受け部材を設けたことを特徴とする。
【００１５】
したがって、大型化されたデッキ本体を跳ね上げる際に、デッキ受け部材により折り曲げ状態のデッキ本体をスムーズに直線的に移動することができる。
【００１６】
【発明の実施の形態】
図１乃至図１０に示したように、本発明の実施形態に係わるデッキであって、図１乃至図５は、第一の実施例であり、図６乃至図１０は、第二の実施例であって以下に説明する。
【００１７】
図１及び図２に示したように、本発明の第一の実施例であるデッキＡは、コンクリートや芝生等の地面１にコンクリートや石等の土台２を配設し、この土台２の上に少数の柱状の束３を立設し、この束３の上端にＩ型鋼の上下面に木質材７、７をボルトナット等で固着した型材６を形成し、この型材６の木質材７の上面に木質材、合成樹脂板、ステンレス板等でできた床材８を釘、ビス、ボルトナット、接着剤等で固着したデッキ本体９を設け、このデッキ本体９の一側端を上方に回動自在として成るものである。
【００１８】
このとき床材８は、無垢材や中空成形材を用いても良い。さらに、回動手段は、図３に示したように、デッキ本体９のＩ型鋼の下面の木質材７の側端面と束３の一側端面とを蝶番４を釘５で固定して固着して回動自在としている。
【００１９】
このときのデッキ本体９は、土台２上に配設される束３を矩形状のデッキ本体９の四隅に配設することによって、土台２及び束３の部材数を減らすことができる。これは、Ｉ型鋼の上下面に木質材７、７をボルトナット等で固着した型材６を構造材としているので曲げ強度や衝撃強度が増し、機械強度が従来のものに比し増大するからである。また、Ｉ型鋼の上下面に木質材７、７を固着しているので、床材８や蝶番４を釘等で金槌でもって固定することができるので施工が簡便である。
【００２０】
したがって、図４及び図５のように，家屋１０の入り隅の角部１１の寸法に合うようにデッキＡを設置することにより、デザイン的にも良好となる。また、このデッキＡは通常家屋からのガラス戸と連続的に接続しておけば一つの室内の部屋のように広いスペースで使用することができる。また、デッキＡを使用しないときには、デッキ本体９の一側端を跳ね上げることで、デッキ本体９の下が外部の地面として広くなりバーベキューや社外広場として有効に使用することができる。
【００２１】
尚、このデッキＡの寸法は、平面から見て、正方形状や長方形状であっても良く、縦１８００ｍｍ×横２７００ｍｍの範囲のものが適切である。
【００２２】
図６乃至図１０は、第二の実施例であって以下に説明する。
【００２３】
図６に示したように、家屋１０の略中央部１２にデッキＢを配設するものであって、図１０のようにデッキ本体９の途中を上方に屈曲するようにしたものである。図７乃至図９に示したように、デッキＢは、地面１に埋設された束３の上にデッキ本体９の途中を上方に屈曲するようにＩ型鋼の下面の木質材７，７の側端面と束３の一側端面とを蝶番４を介して固着して屈曲自在としたものである。
【００２４】
このとき、家屋のコンクリート土台１３の垂木１４を利用して回動自在に固着され、そして、このように屈曲自在とすることで、デッキ本体９が大型化しても簡単に略中央部１２で跳ね上げ可能となる。また、収納作業も簡便である。さらに、屈曲タイプのデッキ本体９の両側端の下面側にレール状のデッキ受け部材１５，１５を設けたことを特徴とする。
【００２５】
したがって、大型化されたデッキ本体９を跳ね上げる際に、デッキ受け部材１５，１５を予め束３の上端に配設しておくこにより折り曲げ状態が小さくなりデッキ本体９をスムーズに直線的に移動させることができる。
【００２６】
尚、この、デッキ本体９の途中を上方に屈曲するタイプのものでは、複数個に屈曲部分を形成するようにして折畳みするようにしても良い。このタイプでは、縦、横２７００ｍｍ以上の長さのものら重量物のものが製作可能となる。
【００２７】
【発明の効果】
上述の如く、本発明の請求項１記載のデッキは、土台上に少数の束を立設し、この束の上端に型材の上面に床材を固着したデッキ本体を設け、このデッキ本体の一側端を上方に回動自在するので、土台や束の本数が少なく、強度の強いデッキ本体が簡単に跳ね上げ可能となる。
【００２８】
本発明の請求項２記載のデッキは、デッキ本体のＩ型鋼の上下面に固着された木質材の下面の木質材の側端面と束の一側端面とを蝶番を介して固着して回動自在としているので、Ｉ型鋼により曲げ強度や衝撃強度が強く、蝶番の取付けも木質材に固定するので釘打ち可能となり簡単である。
【００２９】
本発明の請求項３記載のデッキは、土台上に配設される束を矩形状のデッキ本体の四隅に配設するので、土台上に配設される束が少なくて済み部品点数が少ないものである。
【００３０】
本発明の請求項４記載のデッキは、デッキ本体の途中を上方に屈曲するようにＩ型鋼の下面の木質材の側端面と束の一側端面とを蝶番を介して固着して屈曲自在としているので、デッキ本体の途中を上方に屈曲することができるので、デッキ本体が大型化しても簡単に跳ね上げ可能である。
【００３１】
本発明の請求項５記載のデッキは、屈曲タイプのデッキ本体の両側端の下面側にレール状のデッキ受け部材を設けたので、大型化されたデッキ本体を跳ね上げる際に、デッキ受け部材により折り曲げ状態のデッキ本体をスムーズに直線的に移動することができる。
【図面の簡単な説明】
【図１】本発明の第一実施例に係わるデッキの回動状態を示す正面図である。
【図２】本発明の第一実施例に係わるデッキを示す斜視図である。
【図３】本発明の第一実施例に係わるデッキの回動部分を示す要部の縦断面図である。
【図４】本発明の第一実施例に係わるデッキの取付け位置を示す要部の斜視図である。
【図５】本発明の図５に係わるデッキの回動状態をを示す要部の斜視図である。
【図６】本発明の第二実施例に係わるデッキの取付け位置を示す要部の平面図である。
【図７】本発明の第二実施例に係わるデッキの回動部分を示す要部の縦断面図である。
【図８】本発明の第二実施例に係わるデッキの屈曲状態を示す要部の側面図である。
【図９】本発明の第二実施例に係わる型材の回動部分の接続を示す要部の斜視図である。
【図１０】本発明の第二実施例に係わるデッキの屈曲状態を示す要部の斜視図である。
【図１１】従来のデッキを示す斜視図である。
【図１２】従来のデッキの要部の縦断面図である。
【符号の説明】
Ａ、Ｂ  デッキ
１      地面
２      土台
３      束
４      蝶番
５      釘
６      型材
７      木質材
８      床材
９      デッキ本体
１０    家屋
１１    入り隅の角部
【図１】
2004225462.tif 000003
【図２】
2004225462.tif 000004
【図３】
2004225462.tif 000005
【図４】
2004225462.tif 000006
【図５】
2004225462.tif 000007
【図６】
2004225462.tif 000008
【図７】
2004225462.tif 000009
【図８】
2004225462.tif 000010
【図９】
2004225462.tif 000011
【図１０】
2004225462.tif 000012
【図１１】
2004225462.tif 000013
【図１２】
2004225462.tif 000014